(57)【特許請求の範囲】
【請求項１】
縦および横の長さの入力を受け付ける受付部と、
予め記憶された複数の床暖房マットの中から、前記受付部が受け付けた縦および横の長さに基づく広さに適用可能な当該床暖房マットまたは当該床暖房マットの組み合わせの候補を抽出する抽出部と、
を備え、
前記抽出部は、前記複数の床暖房マットの中から、予め定められた条件を満たす当該床暖房マットまたは当該床暖房マットの組み合わせを候補として全て抽出する選定支援装置。
【請求項２】
前記抽出部が抽出した候補の前記床暖房マットまたは当該床暖房マットの組み合わせの見積もり額を算出する算出部をさらに備える、
請求項１に記載の選定支援装置。
【請求項３】
前記算出部は、前記抽出部が複数の候補を抽出した場合、当該複数の候補それぞれの見積もり額を算出する
請求項２に記載の選定支援装置。
【請求項４】
前記抽出部が抽出した複数の候補の内の一の候補と当該一の候補の見積もり額との組み合わせを、当該複数の候補の内の他の候補と当該他の候補の見積もり額との組み合わせと比較可能に表示する表示部をさらに備える
請求項３に記載の選定支援装置。
【請求項５】
コンピュータに、
縦および横の長さの入力を受け付ける機能と、
予め記憶された複数の床暖房マットの中から、受け付けた縦および横の長さに基づく広さに適用可能な当該床暖房マットまたは当該床暖房マットの組み合わせの候補を抽出する機能と、
を実行させ、
前記抽出する機能は、前記複数の床暖房マットの中から、予め定められた条件を満たす当該床暖房マットまたは当該床暖房マットの組み合わせを候補として全て抽出するプログラム。
【請求項６】
抽出した候補の前記床暖房マットまたは当該床暖房マットの組み合わせの見積もり額を算出する機能をさらに備える、
請求項５に記載のプログラム。
【発明の詳細な説明】
【技術分野】
【０００１】
本発明は、選定支援装置およびプログラムに関する。
【背景技術】
【０００２】
従来、温水等の熱媒循環を用いた床暖房工法として、下地材の上に温水マット等を敷設し、表面に床表面材（フローリング）を敷設する温水マット工法が広く用いられている。
例えば、特許文献１に記載された床暖房用温水マット（以下、「床暖房マット」と称する場合がある。）は、以下のように構成されている。すなわち、床暖房マットは、直線部とＵターン部により構成される配管溝を上面側に備えたマット基材と、配管溝に敷設された放熱パイプと、直線部配管溝に平行に配設された小根太及び小小根太と、マット上表面に貼付された均熱シートと、を備えている。
【先行技術文献】
【特許文献】
【０００３】
【特許文献１】特開２００５−２９９９８５号公報
【発明の概要】
【発明が解決しようとする課題】
【０００４】
床暖房マットを敷設可能な領域に対して、予め大きさが定められた複数の床暖房マットの中から、どの床暖房マットを敷設するかを決定する必要がある。特に、敷設領域が大きい場合には、予め大きさが定められた複数の床暖房マットの中から、いくつかの床暖房マットを組み合わせる必要があるが、床暖房マットの組み合わせによって、敷設率やコストが異なる場合がある。それゆえ、床暖房を敷設可能な領域に応じて、最適な床暖房マットを選択し易いことが望ましい。
本発明は、床暖房を敷設可能な領域に応じて、最適な床暖房マットを選定可能にすることができる技術を提供することを目的とする。
【課題を解決するための手段】
【０００５】
かかる目的のもと完成させた本発明は、縦および横の長さの入力を受け付ける受付部と、予め記憶された複数の床暖房マットの中から、前記受付部が受け付けた縦および横の長さに基づく広さに適用可能な当該床暖房マットまたは当該床暖房マットの組み合わせの候補を抽出する抽出部と、を備え、前記抽出部は、前記複数の床暖房マットの中から、予め定められた条件を満たす当該床暖房マットまたは当該床暖房マットの組み合わせを候補として全て抽出する選定支援装置である。
ここで、前記抽出部が抽出した候補の前記床暖房マットまたは当該床暖房マットの組み合わせの見積もり額を算出する算出部をさらに備えても良い。
また、前記算出部は、前記抽出部が複数の候補を抽出した場合、当該複数の候補それぞれの見積もり額を算出しても良い。
また、前記抽出部が抽出した複数の候補の内の一の候補と当該一の候補の見積もり額との組み合わせを、当該複数の候補の内の他の候補と当該他の候補の見積もり額との組み合わせと比較可能に表示する表示部をさらに備えても良い。
また、他の観点から捉えると、本発明は、コンピュータに、縦および横の長さの入力を受け付ける機能と、予め記憶された複数の床暖房マットの中から、受け付けた縦および横の長さに基づく広さに適用可能な当該床暖房マットまたは当該床暖房マットの組み合わせの候補を抽出する機能と、を実行させ、前記抽出する機能は、前記複数の床暖房マットの中から、予め定められた条件を満たす当該床暖房マットまたは当該床暖房マットの組み合わせを候補として全て抽出するプログラムである。
ここで、抽出した候補の前記床暖房マットまたは当該床暖房マットの組み合わせの見積もり額を算出する機能をさらに備えていても良い。
【発明の効果】
【０００６】
本発明によれば、床暖房を敷設可能な領域に応じて、最適な床暖房マットを選定可能にすることができる。
【図面の簡単な説明】
【０００７】
【図１】実施の形態に係る選定支援装置の構成の一例を示す図である。
【図２】床暖房マットの一例を示す図である。
【図３】抽出部が行う抽出処理のフローチャートの一例を示す図である。
【図４】床暖房マットと床暖房マットの単価との関係の一例を示す図である。
【図５】表示部の表示画面に表示された比較表の一例を示す図である。
【図６】表示部の表示画面に表示された比較表の一例を示す図である。
【発明を実施するための形態】
【０００８】
以下、添付図面を参照して、本発明の実施の形態について説明する。
図１は、実施の形態に係る選定支援装置１００の構成の一例を示す図である。
選定支援装置１００は、床暖房マットを敷設可能な領域に対して、予め大きさが定められた複数の床暖房マットの中から、どの床暖房マットを敷設するかを選定するのに有力な情報を提供することで、床暖房マットの選定を支援する装置である。
【０００９】
選定支援装置１００は、図１に示すように、制御部１１０を備えている。制御部１１０は、ＣＰＵ（Central Processing Unit）と、ＢＩＯＳ（Basic Input Output System）等のプログラムを格納する記憶領域であるＲＯＭ（Read Only Memory）と、プログラムの実行領域であるＲＡＭ（Random Access Memory）とを有している。
【００１０】
また、選定支援装置１００は、ＯＳ（Operating System）やソフトウェア等の各種プログラム、各種プログラムに対する入力データ、各種プログラムからの出力データ等を記憶する記憶部１２０を備えている。記憶部１２０は、ＨＤＤ（Hard Disk Drive）や半導体メモリ等の記憶装置であることを例示することができる。記憶部１２０は、ソフトウェアとして、ＰＤＦファイルを閲覧したり編集したりすることを可能とするアプリケーションを記憶している。
【００１１】
また、選定支援装置１００は、操作受付画面や画像の表示に使用される表示部１３０と、ユーザの入力操作を受け付ける操作部１４０と、外部装置との通信に用いられる通信部１５０と、を備えている。
表示部１３０は、液晶ディスプレイや有機ＥＬディスプレイであることを例示することができる。
操作部１４０は、キーボード、マウス、タッチパネルであることを例示することができる。操作部１４０がタッチパネルである場合には、当該タッチパネルは、操作部１４０および表示部１３０として機能する。
通信部１５０は、通信インターフェース（通信Ｉ／Ｆ）であることを例示することができる。
選定支援装置１００は、ノートＰＣ、デスクトップＰＣ、タブレットＰＣ、タブレット端末、携帯情報端末（ＰＤＡ）、多機能携帯電話（所謂「スマートフォン」）、サーバであることを例示することができる。
【００１２】
（記憶部１２０）
図２は、床暖房マットの一例を示す図である。
記憶部１２０は、予め定められた大きさの床暖房マットを記憶する。より具体的には、図２に示すように、記憶部１２０は、敷設可能な床暖房マットの縦の長さ（ｍｍ）と横の長さ（ｍｍ）との組み合わせ毎に、複数の床暖房マットを記憶している。図２に示す例では、記憶部１２０は、縦の長さが３０００（ｍｍ）、横の長さが２４００（ｍｍ）の床暖房マット（以下、「３０２４マット」と称する場合がある。）を記憶している。また、記憶部１２０は、縦の長さが３０００（ｍｍ）、横の長さが１８００（ｍｍ）の床暖房マット（以下、「３０１８マット」と称する場合がある。）を記憶している。また、記憶部１２０は、縦の長さが２７００（ｍｍ）、横の長さが２７００（ｍｍ）の床暖房マット（以下、「２７２７マット」と称する場合がある。）を記憶している。また、記憶部１２０は、縦の長さが２７００（ｍｍ）、横の長さが２１００（ｍｍ）の床暖房マット（以下、「２７２１マット」と称する場合がある。）を記憶している。また、記憶部１２０は、縦の長さが２４００（ｍｍ）、横の長さが３０００（ｍｍ）の床暖房マット（以下、「２４３０マット」と称する場合がある。）を記憶している。また、記憶部１２０は、縦の長さが２４００（ｍｍ）、横の長さが２４００（ｍｍ）の床暖房マット（以下、「２４２４マット」と称する場合がある。）を記憶している。また、記憶部１２０は、縦の長さが２４００（ｍｍ）、横の長さが１８００（ｍｍ）の床暖房マット（以下、「２４１８マット」と称する場合がある。）を記憶している。また、記憶部１２０は、縦の長さが２１００（ｍｍ）、横の長さが３０００（ｍｍ）の床暖房マット（以下、「２１３０マット」と称する場合がある。）を記憶している。また、記憶部１２０は、縦の長さが２１００（ｍｍ）、横の長さが２４００（ｍｍ）の床暖房マット（以下、「２１２４マット」と称する場合がある。）を記憶している。なお、縦の長さは、床暖房マットのパイプ方向の長さであり、横の長さは、床暖房マットにおける小根太が配置されている方向の長さであることを例示することができる。
【００１３】
（制御部１１０）
制御部１１０は、ユーザによる操作部１４０を介した入力を受け付ける受付部１１１を備える。受付部１１１は、例えば、予め定められた入力欄に入力された値を、床暖房マットを敷設可能な領域における縦の長さおよび横の長さの入力として受け付ける。以下、入力された縦の長さ（ｍｍ）を「入力縦寸」、入力された横の長さ（ｍｍ）を「入力横寸」と称する場合がある。
【００１４】
また、制御部１１０は、予め記憶部１２０に記憶された複数の床暖房マットの中から、床暖房マットを敷設可能な領域に対して適用可能な床暖房マットまたは床暖房マットの組み合わせの候補を抽出する抽出部１１２を備える。
また、制御部１１０は、抽出部１１２が抽出した候補の床暖房マットまたは床暖房マットの組み合わせの見積もり額を算出する算出部１１３を備える。
また、制御部１１０は、表示部１３０の表示画面１３１に比較表等を表示させる表示制御部１１４を備える。
【００１５】
《抽出部１１２》
図３は、抽出部１１２が行う抽出処理のフローチャートの一例を示す図である。
抽出部１１２は、受付部１１１が縦の長さ（ｍｍ）と、横の長さ（ｍｍ）との入力を受け付けた場合に抽出処理を開始する。
抽出部１１２は、先ず、縦の長さ（ｍｍ）と、横の長さ（ｍｍ）を把握する（Ｓ３０１）。
次に、抽出部１１２は、記憶部１２０に記憶された複数の床暖房マットの中から、一の床暖房マットを選択する（Ｓ３０２）。そして、抽出部１１２は、Ｓ３０２にて抽出した一の床暖房マットの縦の長さが入力縦寸以下であるとともに横の長さを入力横寸以下である、という長さ条件を満たすか否かを判定する（Ｓ３０３）。
【００１６】
長さ条件を満たす場合（Ｓ３０３でＹＥＳ）、抽出部１１２は、候補になり得る床暖房マットとして決定する（Ｓ３０４）。そして、候補になり得る床暖房マットとして選択した後、および、長さ条件を満たさない場合（Ｓ３０３でＮＯ）、抽出部１１２は、記憶部１２０に記憶された複数の床暖房マット全てをＳ３０２にて選択したか否かを判定する（Ｓ３０５）。選択していない場合（Ｓ３０５でＮＯ）、抽出部１１２は、Ｓ３０２以降の処理を行う。
【００１７】
全てを選択した場合（Ｓ３０５でＹＥＳ）、Ｓ３０４にて決定された床暖房マット、および、Ｓ３０４にて決定された床暖房マットを組み合わせた組み合わせの内、予め定められた選定条件を満たすものを抽出する（Ｓ３０６）。
選定条件は、縦の長さが入力縦寸以下であり、かつ、横の長さが入力横寸以下であるとともに、敷設率が、６０％以上、１００％以下であることを例示することができる。敷設率は、より好ましくは、７０％以上、９０％以下であることを例示することができる。ただし、敷設率は、その他の値であっても良い。
敷設率は、床暖房マットが１枚である場合には以下の式（１）で算出される値であり、複数の床暖房マットの組み合わせである場合には以下の式（２）で算出される値である。
（床暖房マットの面積）／（入力縦寸×入力横寸）×１００（％）・・・（１）
（複数の床暖房マットの面積の合計）／（入力縦寸×入力横寸）×１００（％）・・・（２）
なお、同じ床暖房マットを組み合わせても良い。
【００１８】
（ａ）例えば、入力縦寸が２５００（ｍｍ）、入力横寸が２５００（ｍｍ）である場合を考える。
抽出部１１２は、Ｓ３０４の処理において、３０２４マット、３０１８マット、２７２７マット、２７２１マットを、候補になり得る床暖房マットとして決定しない。縦の長さが入力縦寸よりも長いからである。また、抽出部１１２は、Ｓ３０４の処理において、２４３０マット、２１３０マットを、候補の床暖房マットとして決定しない。横の長さが入力横寸よりも長いからである。そして、抽出部１１２は、Ｓ３０４の処理において、２４２４マット、２４１８マット、２１２４マットを、候補になり得る床暖房マットとして決定する。
【００１９】
抽出部１１２は、Ｓ３０６の処理において、Ｓ３０４の処理にて候補の床暖房マットとして決定した２４２４マット、２４１８マット、２１２４マットそれぞれの敷設率を、式（１）を用いて算出する。そして、抽出部１１２は、敷設率が６０％以上１００％以下であるものを抽出する。２４２４マット、２４１８マット、２１２４マットの敷設率は、それぞれ、９２．１％、６９．１％、８０．６％であることから、抽出部１１２は、２４２４マット、２４１８マット、２１２４マットを、選定条件を満たす床暖房マットとして抽出する。
なお、抽出部１１２は、Ｓ３０６の処理において、Ｓ３０４の処理にて候補になり得る床暖房マットとして決定した２４２４マット、２４１８マット、２１２４マットをどのように組み合わせても、縦の長さの合計が入力縦寸よりも長くなるか、または、横の長さの合計が入力横寸よりも長くなるため、複数の床暖房マットの組み合わせを抽出しない。
【００２０】
（ｂ）例えば、入力縦寸が２５００（ｍｍ）、入力横寸が５０００（ｍｍ）である場合を考える。
抽出部１１２は、Ｓ３０４の処理において、３０２４マット、３０１８マット、２７２７マット、２７２１マットを、候補になり得る床暖房マットとして決定しない。縦の長さが入力縦寸よりも大きいからである。そして、抽出部１１２は、Ｓ３０４の処理において、２４３０マット、２４２４マット、２４１８マット、２１３０マット、２１２４マットを、候補になり得る床暖房マットとして決定する。
【００２１】
抽出部１１２は、Ｓ３０６の処理において、Ｓ３０４の処理にて候補になり得る床暖房マットとして決定した２４３０マット、２４２４マット、２４１８マット、２１３０マット、２１２４マットそれぞれの敷設率を、式（１）を用いて算出する。そして、抽出部１１２は、敷設率が７０％以上９０％以下であるものを抽出する。なお、上記（ａ）の場合においては、抽出部１１２が、敷設率が６０％以上１００％以下であるものを抽出した例を示したが、（ｂ）の場合においては、抽出部１１２が、敷設率が７０％以上９０％以下であるものを抽出する例を示す。
２４３０マット、２４２４マット、２４１８マット、２１３０マット、２１２４マットの敷設率は、それぞれ、５７．６％、４６．０％、３４．５％、５０．４％、４０．３％であることから、抽出部１１２は、これらの床暖房マット１枚のみを選定条件を満たす床暖房マットとして抽出しない。
【００２２】
抽出部１１２は、Ｓ３０６の処理において、Ｓ３０４の処理にて候補になり得る床暖房マットとして決定した５つの床暖房マットの内の２つの床暖房マットから構成される以下の組み合わせを、選定条件を満たす床暖房マットの組み合わせとして抽出しない。縦の長さの合計が入力縦寸よりも長くなるか、または、横の長さの合計が入力横寸よりも長くなるためである。つまり、２４３０マットと２４３０マット、２４３０マットと２４２４マット、２４３０マットと２１３０マット、２４３０マットと２１２４マット、２４２４マットと２１３０マット、２１３０マットと２１３０マット、２１３０マットと２１２４マットの組み合わせを抽出しない。
【００２３】
また、抽出部１１２は、Ｓ３０６の処理において、Ｓ３０４の処理にて候補になり得る床暖房マットとして決定した５つの床暖房マットの内の３つの床暖房マットから構成される組み合わせを、選定条件を満たす床暖房マット組として抽出しない。縦の長さの合計が入力縦寸よりも長くなるか、または、横の長さの合計が入力横寸よりも長くなるためである。
【００２４】
抽出部１１２は、Ｓ３０６の処理において、Ｓ３０４の処理にて候補になり得る床暖房マットとして決定した５つの床暖房マットの内の２つの床暖房マットから構成される組み合わせの内、残りの組み合わせの敷設率を、式（２）を用いて算出する。そして、抽出部１１２は、敷設率が７０％以上９０％以下であるものを抽出する。２４３０マットと２４１８マット、２４２４マットと２４２４マットの組み合わせの敷設率は、それぞれ、９２．１％、９２．０％であることから、抽出部１１２は、これらの組み合わせを抽出しない。また、２４１８マットと２４１８マットの組み合わせの敷設率は、６９．０％であることから、抽出部１１２は、この組み合わせを抽出しない。他方、２４２４マットと２４１８マット、２４２４マットと２１２４マット、２４１８マットと２１３０マット、２４１８マットと２１２４マット、２１２４マットと２１２４マットの組み合わせの敷設率は、それぞれ、８０．５％、８６．３％、８４．９％、７４．８％、８０．６％であることから、抽出部１１２は、これらの組み合わせを抽出する。
【００２５】
図４は、床暖房マットと床暖房マットの単価との関係の一例を示す図である。
算出部１１３は、図４に示すように記憶部１２０に記憶された床暖房マットと床暖房マットの単価との関係を用いて、抽出部１１２が抽出した候補の床暖房マットまたは床暖房マットの組み合わせの見積もり額を算出する。例えば、上記（ａ）の場合、抽出部１１２が、２４１８マット１枚と、２１２４マット１枚との、２通りを抽出していることから、算出部１１３は、２４１８マット、２１２４マットそれぞれの単価をそのまま見積もり額として算出する。また、上記（ｂ）の場合、抽出部１１２が、２４２４マットと２４１８マット、２４２４マットと２１２４マット、２４１８マットと２１３０マット、２４１８マットと２１２４マット、２１２４マットと２１２４マットの組み合わせの５通りを抽出していることから、算出部１１３は、５通りの組み合わせそれぞれの見積もり額を算出する。その際、算出部１１３は、組み合わされた２枚の床暖房マットの単価を加算することにより得た値を見積もり額として算出する。
【００２６】
表示制御部１１４は、算出部１１３が算出した見積もり額を表示部１３０の表示画面に表示させる。その際、表示制御部１１４は、抽出部１１２が複数の見積もり額を抽出している場合には、これらの見積もり額を比較可能に表示させる。また、表示制御部１１４は、複数の見積もり額それぞれに対応する敷設率を表示させる。
【００２７】
図５、図６は、表示部１３０の表示画面１３１に表示された比較表の一例を示す図である。図５は、上記（ａ）の場合の比較表であり、図６は、上記（ｂ）の場合の比較表である。
図５に示すように、表示制御部１１４は、抽出部１１２が抽出した、２４２４マット１枚、２４１８マット１枚、２１２４マット１枚それぞれを、候補１、候補２、候補３として表示させるとともに、それぞれの候補の敷設率と算出部１１３が算出した見積もり額を表示させる。
【００２８】
また、図６に示すように、表示制御部１１４は、抽出部１１２が抽出した、５通りの組み合わせである、２４２４マットと２４１８マット、２４２４マットと２１２４マット、２４１８マットと２１３０マット、２４１８マットと２１２４マット、２１２４マットと２１２４マットを、それぞれ、候補１、候補２、候補３、候補４、候補５として表示させる。また、表示制御部１１４は、それぞれの候補の敷設率の合計を合計敷設率として表示させ、算出部１１３が算出した見積もり額の合計を見積もり額として表示させる。
【００２９】
以上説明したように選定支援装置１００は、縦および横の長さの入力を受け付ける受付部１１１と、予め記憶された複数の床暖房マットの中から、受付部１１１が受け付けた縦および横の長さに基づく広さに適用可能な当該床暖房マットまたは当該床暖房マットの組み合わせの候補を抽出する抽出部１１２とを備える。これにより、ユーザは、床暖房マットを敷設可能な領域に対して、予め記憶された複数の床暖房マットの中から、どの床暖房マットまたは床暖房マットの組み合わせを用いることが可能かを漏れなくかつ素早く把握することができる。
【００３０】
また、選定支援装置１００は、抽出部１１２が抽出した候補の床暖房マットまたは床暖房マットの組み合わせの見積もり額を算出する算出部１１３を備える。これにより、ユーザは、候補の床暖房マットまたは床暖房マットの組み合わせが予算内であるか否かを確認した後に、最終的に設置する床暖房マットまたは床暖房マットの組み合わせを選定することができる。
【００３１】
また、抽出部１１２は、複数の候補を抽出し、算出部１１３は、複数の候補それぞれの見積もり額を算出する。これにより、ユーザは、複数の候補の中から、例えば最も安い床暖房マットまたは床暖房マットの組み合わせを、最終的に設置する床暖房マットまたは床暖房マットの組み合わせとして選定することができる。
さらに、算出部１１３は、複数の候補それぞれの敷設率を算出する。これにより、ユーザは、複数の候補の中から、見積もり額と敷設率とを考慮して、最終的に設置する床暖房マットまたは床暖房マットの組み合わせを選定することができる。
【００３２】
また、選定支援装置１００は、抽出部１１２が抽出した複数の候補の内の一の候補と当該一の候補の見積もり額との組み合わせを、図５、図６に示すように、当該複数の候補の内の他の候補と当該他の候補の見積もり額との組み合わせと比較可能に表示する表示部１３０をさらに備える。これにより、ユーザは、複数の候補の良し悪しを把握し易くなるので、最終的に設置する床暖房マットまたは床暖房マットの組み合わせを容易に選定することができる。また、例えば地場の工務店で働く者は、床暖房を設置しようとする顧客に対して表示部１３０に表示された比較表を見せながら、床暖房マットの仕様を選定することができる。
【００３３】
なお、表示制御部１１４は、図５、図６に示した比較表とともに、あるいは、比較表の一部に、候補の床暖房マットまたは床暖房マットの組み合わせを間取り図上にプロットした図を表示させても良い。
また、表示制御部１１４は、図６に示した比較表のように、複数の床暖房マットの組み合わせを複数の候補として表示する場合に、床暖房マット毎に色分けして表示すると良い。例えば、「２４２４マット」を緑色のフォントで示し、「２４１８マット」を黄色のフォントで示し、「２１３０マット」を青色のフォントで示し、「２１２４マット」を紫色のフォントで示すと良い。また、フォントの色を異ならせるとともに、あるいは、フォントの色を異ならせる代わりに、ハイライトの色を異ならせても良い。これにより、ユーザに、比較し易くすることができる。
【００３４】
また、記憶部１２０が記憶する、床暖房マットの大きさや単価等の情報は、例えば選定支援装置１００とネットワークにて接続された他の装置（例えばデータベースサーバ）に記憶されていても良い。そして、制御部１１０は、通信部１５０およびネットワークを介して、他の装置から床暖房マットの情報を取得して、候補を抽出したり、見積もり額を算出したりしても良い。
【００３５】
また、制御部１１０のＣＰＵによって実行されるプログラムは、磁気記録媒体（磁気テープ、磁気ディスク等）、光記録媒体（光ディスク等）、光磁気記録媒体、半導体メモリ等のコンピュータが読取可能な記録媒体に記憶した状態で提供し得る。また、インターネット等の通信手段を用いてダウンロードされても良い。
【００３６】
そして、本発明を構成するプログラムは、選定支援装置１００に、縦および横の長さの入力を受け付ける機能と、予め記憶された複数の床暖房マットの中から、受け付けた縦および横の長さに基づく広さに適用可能な当該床暖房マットまたは当該床暖房マットの組み合わせの候補を抽出する機能と、を実行させる。
また、プログラムは、抽出した候補の前記床暖房マットまたは当該床暖房マットの組み合わせの見積もり額を算出する機能をさらに備える。
【符号の説明】
【００３７】
１００…選定支援装置、１１０…制御部、１１１…受付部、１１２…抽出部、１１３…算出部、１１４…表示制御部、１２０…記憶部、１３０…表示部、１４０…操作部
【要約】
【課題】床暖房を敷設可能な領域に応じて、最適な床暖房マットを選定可能にすることができる技術を提供する。
【解決手段】縦および横の長さの入力を受け付ける受付部１１１と、予め記憶された複数の床暖房マットの中から、受付部１１１が受け付けた縦および横の長さに基づく広さに適用可能な床暖房マットまたは床暖房マットの組み合わせの候補を抽出する抽出部１１２と、を備える。
【選択図】図１【図１】
0006964812.tif 000002
【図２】
0006964812.tif 000003
【図３】
0006964812.tif 000004
【図４】
0006964812.tif 000005
【図５】
0006964812.tif 000006
【図６】
0006964812.tif 000007